(57)【要約】【課題】吸込具の着脱時に吸込具に触れずに吸込具の収納が掃除作業の延長で行うことができる、衛生的で使用性に優れた吸込具を提供する。【解決手段】延長管１３の下部略先端部にブラシホルダー２１を回動自在に枢支し、ブラシホルダー２１は、延長管１３の外郭上方の位置と延長管１３の接続口２２に連通する方向に附勢するフックバネ２３とブラシホルダー２１に形成した延長管１３の下部に設けた穴２４から回動により出没可能なストッパーＡ２５と穴２４の前壁２６によって一定の角度αを有した位置との間を回動自在に構成し、また、床用吸込具１５の吸込具管１５Ａの被接続口２７とストッパーＡ２５の当接によって、前記穴２４から回動により出没可能なストッパーＡ２５をブラシホルダー２１に形成し、穴２４の前壁２６にストッパーＡ２５が当接することによってブラシホルダー２１を回動させ、かつ延長管１３の外郭上方に位置させ保持させる。【選択図】図２
2007021057.tif 000002
【特許請求の範囲】
【請求項１】
電気掃除機などの吸引装置に接続される連結管の先端部に吸込部材を回動自在に枢支し、前記吸込部材の一端部が前記連結管の先端部に連通する連通部と、連結管から離れた他端部に塵埃を吸い込む吸込口を形成するとともに吸込部材が連結管の軸線に対して所定の角度になる使用状態の位置と連結管の先端部の外郭上部近傍あるいは下部近傍に回動した収納状態の位置との間を回動自在に構成し、前記吸込部材を吸込口が連結管の軸線に対して所定の角度になる方向に常に附勢する附勢手段を有するとともに吸込部材の吸込口を連結管の軸線に対して所定の角度に位置させる手段を有し、連結管の吸込部材配設側に接続する接続管と係合自在に係合する操作機構を連結管に配設するとともに前記操作機構に吸込部材と係合する係合手段を形成し、前記操作機構の係合手段と吸込部材の被係合部との係合により、吸込部材を連結管の先端部の外郭上部近傍あるいは下部近傍に位置させて保持し、また、前記接続管の連結管との接続の解除と連動して操作機構の係合手段と吸込部材の被係合部との係合が解除されることにより、吸込口が連結管の軸線に対して所定の角度に位置するように吸込部材が回動することを特徴とする吸込具。
【請求項２】
連結管に配設された操作機構の係合手段と接続管の被係合部との係合を解除する解除手段操作部を有したことを特徴とする請求項１記載の吸込具。
【請求項３】
吸込部材の吸込口先端部にブラシ・起毛布などの清掃用軟質材を配設したことを特徴とする請求項１または２に記載の吸込具。
【請求項４】
吸込部材の吸込口先端部に配設した清掃用軟質材は吸込部材が連結管の先端部の外郭上部近傍あるいは下部近傍に位置した状態で連結管の先端部より少し突出して配設したことを特徴とする請求項３記載の吸込具。
【請求項５】
吸込部材の吸気口先端部に配設した清掃用軟質材は吸込具に回動力を与える附勢手段の弾性力と略同一以上の弾性力を有したことを特徴とする請求項３または４に記載の吸込具。
【請求項６】
吸込部材が連結管の先端部の外郭上部近傍あるいは下部近傍の位置と吸込部材の吸込口が連結管の軸線に対して所定の角度になる位置との間の吸込部材の回動角度を約３０〜９０°に設定したことを特徴とする請求項１〜５のいずれか１項に記載の吸込具。
【請求項７】
吸込部材が連結管の先端部の外郭上部近傍あるいは下部近傍の位置と吸込部材の吸込口が連結管の軸線に対して所定の角度になる位置までの回動範囲内に吸込口面と連結管に設けた使用時に握る把手部の軸線と略並行になる位置を設定したことを特徴とする請求項１〜６のいずれか１項に記載の吸込具。
【請求項８】
吸込部材の吸込口が連結管の軸線に対して所定の角度になる位置の状態で吸込部材と連結管の先端部との間に発生する隙間を覆うカバー体を配設したことを特徴とする請求項１〜７記載のいずれか１項に記載の吸込具。
【請求項９】
カバー体を吸込部材の回動中心と略同軸で、かつ、吸込部材の回動と連動して回動自在に配設したことを特徴とする請求項８記載の吸込具。
【請求項１０】
吸込部材が先端部外郭上部近傍あるいは下部近傍に位置した時に、吸込部材を収納する収納カバー体を連結管の先端部に配設したことを特徴とする請求項１〜９のいずれか１項に記載の吸込具。
【請求項１１】
収納カバー体の入り口先端部にエラストマー、ゴム、塩化ビニル、起毛布などの軟質材を配設したことを特徴とする請求項１０記載の吸込具。
【請求項１２】
収納カバー体の入り口先端部に配設した軟質材は、連結管の先端部より少し突出して配設したことを特徴とする請求項１１に記載の吸込具。
【請求項１３】
収納カバー体は左右に分割された部材と操作機構を覆う操作機構カバー体とで構成され、左右の部材の固定手段として少なくとも操作機構カバー体の取付け部側は操作機構カバー体を左右部材とリブなどで結合させることにより、左右部材を固定することを特徴とする請求項１０〜１２のいずれか１項に記載の吸込具。
【請求項１４】
回動する吸込部材と連結管をユニット化し、第２の連結管と第３の連結管の先端部にそれぞれ着脱可能としたことを特徴とする請求項１〜１３のいずれか１項に記載の吸込具。
【請求項１５】
吸引力を発生する電動送風機と前記電動送風機の吸気上流に配設され塵埃を捕集する集塵室を有する本体と、前記集塵室の吸気口部に接続される本体接続部を有する連通管などを有した電気掃除機本体に請求項１〜１４のいずれか１項に記載の吸込具を接続した電気掃除機。
【発明の詳細な説明】
【技術分野】
【０００１】
本発明は、電気掃除機などの吸引装置に接続されて使用する吸込具及びそれを用いた電気掃除機に関するものである。
【背景技術】
【０００２】
従来のこの種の吸込具は、電気掃除機の集塵室と連通したホースとホースの先端に設けた先端パイプとこの先端パイプに接続される延長管、床用吸込具などを有した電気掃除機に、ブラシノズルや隙間ノズルとして前記先端パイプや延長管の先端に着脱自在に取付けられるものであった。その構成としては先端パイプや延長管の先端部などに設けた取付け部に回動自在・摺動自在・着脱自在に接続可能な形態が一般的であった（例えば、特許文献１、特許文献２、特許文献３、特許文献４参照）。
【特許文献１】特開２０００−０７０１８７号公報
【特許文献２】特開２０００−２７９３５２号公報
【特許文献３】特許第３２１３６０８号公報
【特許文献４】特許第３３４４１３６号公報
【発明の開示】
【発明が解決しようとする課題】
【０００３】
しかしながら、上記構成では、ブラシノズルや隙間ノズルなどの吸込具を先端パイプに装着する時には、まず、先端パイプから延長管を取り外した後、吸込具を握り収納場所から取り外し、または回動させて先端パイプに装着する必要があった。また、吸込具を先端パイプに対して正しい位置に装着しないと吸込具の吸込口が意図しない方向に向くため、使いにくいという欠点があり、位置決めのし易さが課題であった。さらには先端パイプから取り外す時には、上記とは逆に先端パイプから吸込具を握り吸込具を取り外してまたは回動させて収納場所に収納した後、先端パイプに延長管を装着する必要があり、吸込具と延長管の付け替えに汚れやすい吸込具を握らなくてはならず不衛生であるとともに、吸込具と延長管の着脱、吸込具の収納部からの着脱の３動作が必要であり、使用性が悪いという課題があった。また、吸込具の吸込口の角度が固定されており、吸込具の吸込口の角度が可動できる構成でも手で角度調整する必要があり、やはり、不衛生であるとともに使用性が悪いという課題がある。
【０００４】
他の従来の構成としても、吸込具を先端パイプなどの先端に回動あるいは摺動させて付け替え、収納ができるものがあり、先端パイプに対する吸込具の接続の位置決めは改善されてはいるが、やはり、吸込具と延長管の付け替えに汚れやすい吸込具を握らなくてはならず不衛生であるとともに、吸込具と延長管の着脱、吸込具の収納部からの着脱の３動作が必要であり、使用性が悪いという課題が残っている。また、延長管への吸込具の着脱においても同様に床用吸込具の着脱と吸込具の着脱が必要であった。
【０００５】
本発明は上記課題を解決するもので、吸込具と延長管などの付け替え時に吸込具に触れることなく、また、吸込具の収納が掃除作業の延長で行うことができる、衛生的で使用性に優れた吸込具を提供することを目的とするものである。
【課題を解決するための手段】
【０００６】
上記従来の課題を解決するために本発明は、電気掃除機などの吸引装置に接続される連結管の先端部に吸込部材を回動自在に枢支し、前記吸込部材の一端部が前記連結管の先端部に連通する連通部と、連結管から離れた他端部に塵埃を吸い込む吸込口を形成するとともに吸込部材が連結管の軸線に対して所定の角度になる使用状態の位置と連結管の先端部の外郭上部近傍あるいは下部近傍に回動した収納状態の位置との間を回動自在に構成し、前記吸込部材を吸込口が連結管の軸線に対して所定の角度になる方向に常に附勢する附勢手段を有するとともに吸込部材の吸込口を連結管の軸線に対して所定の角度に位置させる手段を有し、連結管の吸込部材配設側に接続する接続管と係合自在に係合する操作機構を連結管に配設するとともに前記操作機構に吸込部材と係合する係合手段を形成し、前記操作機構の係合手段と吸込部材の被係合部との係合により、吸込部材を連結管の先端部の外郭上部近傍あるいは下部近傍に位置させて保持し、また、前記接続管の連結管との接続の解除と連動して操作機構の係合手段と吸込部材の被係合部との係合が解除されることにより、吸込口が連結管の軸線に対して所定の角度に位置するように吸込部材が回動することを特徴とする吸込具において、通常使用状態では、連結管と接続管を接続して使用し、吸込部材を操作機構の係合手段と係合して連結管の先端部の外郭上部近傍あるいは下部近傍に位置させて保持させて吸込部材を収納状態とし、操作機構を操作して連結管から接続管を取り外すと、同時に操作機構の係合部から吸込部材の被係合部が外れて吸込部材が弾性体の附勢力によって吸込口が連結管の軸線に対して所定の角度に位置するように吸込部材が回動して吸込具として直ぐ吸込具として塵埃の吸込みが行え、使い勝手が非常に良いものである。また、接続管を取付ける時には、吸込部材を連結管の外郭上部あるいは下部に位置する方向に回動させ、収納して接続管を取付ける。つまり、吸込具の使用状態、収納状態が延長管の着脱動作と連動及び使用動作の延長で行うことができ、吸込具に触れることなく、衛生的で使用性に優れた吸込具を提供することを目的とするものである。
【発明の効果】
【０００７】
本発明は吸込具の使用状態、収納状態の選択が延長管の着脱動作と使用動作の延長で行え、着脱動作が少なく、また、吸込具に触れることがないため、衛生的で使用性に優れた吸込具を提供することができる。
【０００８】
さらには、使用時における吸込具の吸込口の角度は、附勢手段による附勢力によって被掃除面側に附勢されているので、使用時の連結管の角度によって吸込口の角度は追随が可能であり、従来の構成のように吸込口の角度を気にすることなく、手軽に使用でき操作性が向上するとともに被掃除面への吸込口の密着性が向上することにより、集塵性能の向上が図れるものである。
【発明を実施するための最良の形態】
【０００９】
第１の発明は電気掃除機などの吸引装置に接続される連結管の先端部に吸込部材を回動自在に枢支し、前記吸込部材の一端部が前記連結管の先端部に連通する連通部と、連結管から離れた他端部に塵埃を吸い込む吸込口を形成するとともに吸込部材が連結管の軸線に対して所定の角度になる使用状態の位置と連結管の先端部の外郭上部近傍あるいは下部近傍に回動した収納状態の位置との間を回動自在に構成し、前記吸込部材を吸込口が連結管の軸線に対して所定の角度になる方向に常に附勢する附勢手段を有するとともに吸込部材の吸込口を連結管の軸線に対して所定の角度に位置させる手段を有し、連結管の吸込部材配設側に接続する接続管と係合自在に係合する操作機構を連結管に配設するとともに前記操作機構に吸込部材と係合する係合手段を形成し、前記操作機構の係合手段と吸込部材の被係合部との係合により、吸込部材を連結管の先端部の外郭上部近傍あるいは下部近傍に位置させて保持し、また、前記接続管の連結管との接続の解除と連動して操作機構の係合手段と吸込部材の被係合部との係合が解除されることにより、吸込口が連結管の軸線に対して所定の角度に位置するように吸込部材が回動する吸込具としたことにより、通常使用状態では、連結管と接続管を接続して使用し、吸込部材を操作機構の係合手段と係合して連結管の先端部の外郭上部近傍あるいは下部近傍に位置させて保持させて吸込部材を収納状態とし、操作機構を操作して連結管から接続管を取り外すと、同時に操作機構の係合部から吸込部材の被係合部が外れて吸込部材が弾性体の附勢力によって吸込口が連結管の軸線に対して所定の角度に位置するように吸込部材が回動して吸込具として直ぐ吸込具として塵埃の吸込みが行え、使い勝手が非常に良いものである。
【００１０】
また、また、接続管を取付ける時には、吸込部材を連結管の外郭上部あるいは下部に位置する方向に回動させ、収納して接続管を取付ける。つまり、吸込具の使用状態、収納状態が延長管の着脱動作と連動及び使用動作の延長で行うことができ、吸込具に触れることなく、衛生的で使用性に優れた吸込具を提供することを目的とするものである。
【００１１】
さらには、使用時における吸込具の吸込口の角度は、附勢手段による附勢力によって被掃除面側に附勢されているので、使用時の連結管の角度によって吸込口の角度は追随が可能であり、従来の構成のように吸込口の角度を気にすることなく、手軽に使用でき操作性が向上するとともに被掃除面への吸込口の密着性が向上することにより、集塵性能の向上が図れるものである。
【００１２】
第２の発明は、連結管に配設された操作機構の係合手段と吸込部材の被係合部との係合を解除する解除手段操作部を有したもので、吸込具を使用する時に操作機構の係合手段と吸込部材の被係合部との係合を解除する解除手段操作部を操作することによって、接続管から連結管が外れるとともに吸込部材の被係合部との係合が解除され、連結管の先端部に吸込部材が弾性体の附勢力によって吸込口が連結管の軸線に対して所定の角度に位置するように吸込部材が回動して吸込具として直ぐ吸込具として塵埃の吸込みが行え、使い勝手が非常に良いものである。
【００１３】
第３の発明は、吸込部材の吸込口先端部にブラシ・起毛布などの清掃用軟質材を配設したもので、吸込部材による被掃除面への傷つきを防止するとともに被掃除面上の塵埃をブラシ・起毛布などの清掃用軟質材によって掻き出したり、拭いたりすることにより、更なる使用性の向上と集塵性能の向上が図れるものである。
【００１４】
第４の発明は、吸込部材の吸込口先端部に配設した清掃用軟質材は吸込部材が連結管の先端部の外郭上部近傍あるいは下部近傍に位置した状態で連結管の先端部より少し突出して配設したもので、吸込部材を使用状態から床面側に押し付け過ぎた時や、誤って操作機構の係合手段と吸込部材の被係合部とが係合して、吸込部材が連結管の先端部の外郭上部近傍あるいは下部近傍に位置させて収納保持させてしまっても、被掃除面に直接連結管の先端部が当たるのを防止し、被掃除面への傷つきを防止するとともに連結管の先端部の損傷を防止できるものである。
【００１５】
第５の発明は、吸込部材の吸気口先端部に配設した清掃用軟質材は吸込具に回動力を与える附勢手段の弾性力と略同一以上の弾性力を有したもので、吸込部材を使用状態で押さえ付けると附勢手段の弾性力より軟質材の弾性力の方が同等もしくは大きいため、吸込部材が連結管側に回動して移動し、床面の角度に関係なく連結管の角度を変えなくても吸込具の吸気口が常に床面に常に密着することとなり、吸込み性を損なうこと無く、掃除性能の向上と使用性の向上が図れるものである。
【００１６】
第６の発明は、吸込部材が連結管の先端部の外郭上部近傍あるいは下部近傍の位置と吸込部材の吸込口が連結管の軸線に対して所定の角度になる位置との間の吸込部材の回動角度を約３０〜９０°に設定したもので、連結管に対して角度を持った床面から略水平な場所まで使用が可能となり、使用範囲が拡大するとともに連通管を持って吸込部材を操作させ易い自然な角度であるため、さらなる使用性の向上が図れるものである。
【００１７】
第７の発明は、吸込部材が連結管の先端部の外郭上部近傍あるいは下部近傍の位置と吸込部材の吸込口が連結管の軸線に対して所定の角度になる位置までの回動範囲内に吸込口面と連結管に設けた使用時に握る把手部の軸線と略並行になる位置を設定したもので、使用時に床面に対して把手部が並行となり、吸込具を操作させ易い自然な角度であるため、使用性の向上が図れるものである。
【００１８】
第８の発明は、吸込部材の吸込口が連結管の軸線に対して所定の角度になる位置の状態で吸込部材と連結管の先端部との間に発生する隙間を覆うカバー体を配設したもので、吸込部材と連結管の先端部との間に発生する隙間からの吸気の漏れによる吸込力の低下を防止するとともに吸込具を大きくしなくて構成でき、吸込部材の回動角度を大きく設定することができるため、吸込具の小型化を図りながら、さらなる使用性の向上が図れるものである。
【００１９】
第９の発明は、カバー体を吸込部材の回動中心と略同軸で、かつ、吸込部材の回動と連動して回動自在に配設したもので、カバー体配設スペースを最小にして吸込具の小型・軽量化・簡素化が図れるものである。
【００２０】
第１０の発明は、吸込部材が先端部外郭上部近傍あるいは下部近傍に位置した時に、吸込部材を収納する収納カバー体を連結管の先端部に配設したもので、吸込部材の収納状態で汚れた吸込口に手などが触れにくくなるため、さらに衛生的になるとともに吸込部材収納時における外観を向上させ、また、吸込部材をぶつけたりした時の損傷防止が行えるものである。
【００２１】
第１１の発明は、収納カバー体の入り口先端部にエラストマー、ゴム、塩化ビニル、起毛布などの軟質材を配設したもので、収納カバー体をぶつけた時などの損傷防止が行えるとともに吸込部材を連結管の先端部の外郭上部あるいは下部近傍に位置させる方向に大きな力が加わっても、被掃除面に直接、収納カバー体の先端部が当たるのを防止し、被掃除面への傷つきを防止することができ、さらなる使用性の向上が図れるものである。
【００２２】
第１２の発明は、収納カバー体の入り口先端部に配設した軟質材は、連結管の先端部より少し突出して配設したもので、吸込部材を連結管の先端部の外郭上部近傍あるいは下部近傍に位置させる方向に大きな力が加わっても、被掃除面に直接、連結管の先端部や収納カバー体の先端部が当たるのを防止し、被掃除面への傷つきを防止することができ、さらなる使用性の向上が図れるものである。
【００２３】
第１３の発明は、収納カバー体は左右に分割された部材と操作機構を覆う操作機構カバー体とで構成され、左右の部材の固定手段として少なくとも操作機構カバー体の取付け部側は操作機構カバー体を左右部材とリブなどで結合させることにより、左右部材を固定するもので、収納カバー体外郭を形成するために必要な部品で外郭の固定の一部が行え、小型化、部品点数の削減、安価な構成が可能となるものである。
【００２４】
第１４の発明は、回動する吸込部材と連結管をユニット化し、第２の連結管と第３の連結管の先端部にそれぞれ着脱可能としたもので、一つの吸込具ユニットを第２の連結管と第３の連結管の先端部に付け替えて使用することができ、掃除範囲が拡大し、さらなる使用性の向上が図れるものである。
【００２５】
第１５の発明は、吸引力を発生する電動送風機と前記電動送風機の吸気上流に配設され塵埃を捕集する集塵室を有する本体と、前記集塵室の吸気口部に接続される本体接続部を有する連通管などを有した電気掃除機本体に前記の吸込具を備えたもので、電気掃除機としての掃除範囲の拡大や使用性の向上、衛生的な掃除などが容易に行えるものである。
【００２６】
以下、本発明の実施の形態について、図面を参照しながら説明する。なお、この実施の形態によりこの発明が限定されるものではない。
【００２７】
（実施の形態１）
本発明の第１の実施の形態について、図１〜図６を用いて説明する。
【００２８】
１は前側に塵埃を集積する集塵袋２を配置した集塵室３、後方に塵埃吸引用のモーター４などを有する本体下であり、前部の集塵袋２上方を覆う蓋体５で集塵室３を形成するとともに後部モーター４などを配置した上方を本体上６で覆い、電気掃除機本体（以下、本体という）７を構成している。８は一端に本体７前部に構成した集塵室３に連通し、モーター４の吸引力による吸い込み通路を形成するフロントカバー９の吸気口１０に接続する接続パイプ１１を有するとともに他端に使用時に握って操作する把手１２を形成し、かつ、第１の連結管としての延長管１３を接続する第の連結管としての先端パイプ１４を有する連通管としてのホースである。床面の塵埃を効率的に捕集する床用吸込具１５を接続管としての吸込具管１５Ａを延長管１３の先端に着脱自在に接続して用いる。１６は本体７を持ち運びする時に握るサゲテであり、１７は本体下１の前部底面に配設したキャスターローラー（図示せず）とともに使用時に本体７を移動させるローラーであり、本体下１の後部両側面に配設されている。
【００２９】
延長管１３の先端には床用吸込具１５の吸込具管１５Ａを取り外した時に使用できる吸込部材としての吸込具１８を構成している。前記吸込具１８は、下部略先端部に位置した回転軸１９によって一端にブラシ２０を植毛した吸込口としてのブラシホルダー２１を延長管１３に対して回動自在に枢支し、前記ブラシホルダー２１は、延長管１３の外郭上方の位置とブラシホルダー２１の他端を延長管１３の接続口２２に連通させて連通部２１Ａを形成し、延長管１３に対してブラシ２０が一定の角度αを有した位置との間を回動自在に構成している。２３は、ブラシホルダー２１を延長管１３の接続口２２に対して一定の角度αを有する方向に附勢するフックバネであり、延長管１３の下部に設けた穴２４から回動により出没可能なストッパーＡ２５をブラシホルダー２１の下部略中央に形成し、前記穴２４の前壁２６に前記ストッパーＡ２５が当接することによってブラシホルダー２１の回動角度を規制している。この時、フックバネ２３の附勢力（弾性力）はブラシ２０の弾性力と同等もしくは小さく設定している。また、角度αを約６０°に設定しており、ブラシ２０と被掃除面の角度は約３０°となり、先端パイプ１４の把手１２と略平行になっている。また、前記ストッパーＡ２５が延長管１３の接続口２２に挿入される吸込具管１５Ａの被接続口２７に当接することによってブラシホルダー２１を回動させるとともに先端パイプ１４の外郭上方に位置させ、保持することも可能である。２８は吸込具管１５Ａを延長管１３に接続した時に一端に設けた凸部２９が吸込具管１５Ａの凹部３０に係合し、吸込具管１５Ａを保持、固定する尾錠であり、前記尾錠２８は他端に指で押さえる釦３１を形成するとともに軸３２によって回動自在に構成され、かつ、釦３１近傍に圧縮バネ３３を配置し、圧縮バネ３３によって常に釦３１を上方に附勢、つまり、凸部２９を下方に附勢し、延長管１３の凹部３０に係合させる方向に力を加えている。また、前記尾錠２８は軸３２と釦３１の間に上方に突出した係合部Ａ３４を形成し、ブラシホルダー２１の連通部２１Ａ側に形成した被係合部Ａ３５に係合して図３に示すようにブラシホルダー２１を延長管１３の上方に保持、固定する。３６、３７はブラシホルダー２１が延長管１３上方に位置した時に覆うように収納する外郭右、外郭左であり、ネジＡ３８、ネジＢ３９によって延長管１３に固定されている。また、外郭右３６、外郭左３７の先端略外周部には、エラストマー、軟質塩化ビニル、ゴム、起毛布などの軟質材を材料とするバンパー４０が図４に示すように突出代Ａを有して延長管１３の先端より突出して配設されている。ブラシホルダー２１が延長管１３上方に位置した時に外郭右３６、外郭左３７の先端部よりも突出代Ｂを有して若干、ブラシ２０先端部が突出した状態で保持されている。４１はブラシホルダー２１が延長管１３との間に発生する隙間を覆ってブラシホルダー２１とともに連通部２１Ａを形成するカバー体であり、ブラシホルダー２１の回動中心と同軸で回動自在に構成され、ブラシホルダー２１の連通部２１Ａ側に形成された被係合部Ｂ４２、被係合部Ｃ４３と係合する係合部Ｂ４４を形成し、ブラシホルダー２１の回動とともに回動する。また、��郭右３６、外郭左３７の尾錠２８配置面には、外郭右３６、外郭左３７に設けた溝部右４５、溝部左４６と係合するリブ４７を形成した外郭上４８を配設して、外郭右３６、外郭左３７の上部の保持、固定を行っている。
【００３０】
上記構成による作用は以下の通りである。
【００３１】
床面の掃除を行う時には、本体７の吸気口１０に接続パイプ１１を接続し、先端パイプ１４の接続口２２に延長管１３を接続し、延長管１３先端に床用吸込具１５の吸込具管１５Ａを接続して、先端パイプ１４の把手１２を握り、モーター４の吸引力によって床面上の塵埃を床用吸込具１５から吸込み、吸込具管１５Ａ、延長管１３、先端パイプ１４、ホース８、接続パイプ１１、吸気口１０を介して本体７の集塵室３に配置した集塵袋２内に集塵していく。
【００３２】
次に、ソファーや壁際、カーテン、テーブル上、また、床用吸込具１５が入らない隙間の掃除の時には、床用吸込具１５の吸込具管１５Ａを延長管１３から外す。この時、尾錠２８の釦３１を押して吸込具管１５Ａを延長管１３から外すと図２、６、９に示すように延長管１３の先端に配置した吸込具１８のブラシホルダー２１の被係合部Ａ３４と尾錠２８の係合部Ａ３５による係合が外れることにより、延長管１３上方に位置していたブラシホルダー２１がフックバネ２３の附勢力によって接続口２２側に回動し、ストッパーＡ２５が穴２４の前壁２６に当接してブラシ２０が延長管１３に対して一定の角度αを有した状態で保持される。したがってこの状態ですぐ吸込具１８としてソファーや壁際などの掃除が可能になる。また、フックバネ２３による附勢力によってブラシ２０が常に被掃除面側に附勢されていることにより、被掃除面への密着性が良く、塵埃の除去が効率的に行えるとともに、延長管１３に対する被掃除面の角度が変わってもブラシ面が被掃除面に沿って回動することにより、把手１２の角度を変える必要がなく、使用性が向上し、かつ、掃除性能も向上するものである。
【００３３】
さらには、爪楊枝やボタン、小石などの重量のある塵埃がブラシ２０の通常の角度（本実施の形態でのα）で吸わなくても、吸込具１８を被掃除面に押し付けてブラシ２０の角度を変えて、ブラシ２０先端から延長管１３の接続口２２の距離が短くなることにより、ブラシ２０部の真空圧が増大して吸込むことが可能となり、掃除実態にあった吸込み性の優れた吸込具１８を提供することができるものである。
【００３４】
また、ブラシホルダー２１が延長管１３に移動する方向に大きな力が加わっても外郭右３６、外郭左３７の先端略外周に軟質材で形成されたバンパーを配置しているので被掃除面への傷つきが防止できる。さらには、ブラシ２０が外郭右３６、外郭左３７内に収納された状態でブラシ２０先端部が外郭右３６、外郭左３７より突出代Ｂだけ突出していることにより、被掃除面への傷つきがより防止できるとともにその収納状態でもブラシ２０による簡単な掃除が可能であり、さらにはブラシ２０が外郭右３６、外郭左３７に突っかかって出てこないなどの不具合も防止できるものである。また、ブラシ２０の角度αを６０°に設定していることにより、把手１２と略平行になっているため、自然な姿勢で把手１２が移動でき、楽に掃除が行える。
【００３５】
次に、ブラシ２０収納する時や、吸込具管１５Ａを延長管１３に接続する時には、ブラシ２０の弾性力がフックバネ２３の附勢力（弾性力）と同等以上に設定していることから、ブラシ２０を被掃除面に押し付け、ブラシホルダー２１を回動させることにより、被係合部Ａが尾錠２８の係合部Ａに係合して、ブラシホルダー２１が先端パイプ１４の上方に位置して保持され、外郭右３６、外郭左３７の中に容易に収納されて延長管１３の接続口２２に吸込具管１５Ａの被接続口２７が容易に挿入でき、接続できるものである。また、外郭右３６、外郭左３７の中にブラシホルダー２１とカバー体４１とブラシ２０の大部分が収納されることにより、収納状態で汚れやすいブラシホルダー２１やブラシ２０などに触れにくく、また、見た目にも汚れが目立たないため、衛生的である。
【００３６】
また、ブラシホルダー２１が一定の角度αに位置した時にブラシホルダー２１と延長管１３との間に発生する隙間を覆うカバー体４１を配設することにより、ブラシホルダー２１を大きくすること無く、延長管１３との間に連通部２１Ａを形成することができ、ブラシホルダー２１の回動角度αを大きくして掃除範囲を拡大しても小型の吸込具１８が提供できる。
【００３７】
したがってソファーや壁際などを掃除する時に使用する吸込具１８の取付け、取り外しをする必要がなく、また、塵埃を吸込んだ吸込具１８やブラシ２０に触れること無く、床用吸込具１５の吸込具管１５Ａの着脱動作や掃除動作と連動して吸込具１８の使用状態、収納状態が選択でき、使用性が著しく向上するとともに清潔で収納性に優れ、かつ、掃除性能の優れた吸込具１８を提供でき、多大な効用を得ることができるものである。
【００３８】
（実施の形態２）
本発明の第２の実施の形態について、図７を用いて説明する。
【００３９】
なお、第１の実施の形態と同一の部品については、同一符号を付与し、説明を省略する。
【００４０】
４９は、床用吸込具１５の吸込具管１５Ａに設けた解除手段操作部としての操作ペタルである。また、５０は回転ブラシ（図示せず）を駆動させる駆動モーター（図示せず）を配設した床用吸込具１５への電源を供給する電源線に接続される凸端子である。
【００４１】
上記構成による作用は以下の通りである。
【００４２】
延長管１３の先端に吸込具管１５Ａを接続して床用吸込具１５を使用している状態から吸込具１８を使用する時に操作ペタル４９を足で踏むことにより、吸込具１８としてすぐに使用できるものである。すなわち、吸込具１８のブラシホルダー２１の被係合部Ａ３４と尾錠２８の係合部Ａ３５による係合が外れることにより、延長管１３上方に位置していたブラシホルダー２１がフックバネ２３の附勢力によって接続口２２側に回動し、ストッパーＡ２５が穴２４の前壁２６に当接してブラシ２０が延長管１３に対して一定の角度αを有した状態で保持される。したがってこの状態ですぐ吸込具１８としてソファーや壁際などの掃除が可能になり、吸込具１８を収納状態から使用状態の容易に切り替えることができ大幅な使用性の向上が図れるものである。
【００４３】
（実施の形態３）
本発明の第３の実施の形態について、図８を用いて説明する。
【００４４】
なお、第１、２の実施の形態と同一の部品については、同一符号を付与し、説明を省略する。
【００４５】
５１は、床用吸込具１５と延長管１３との接続を解除する解除手段と連動する解除手段操作部としての操作レバーであり、先端パイプ１４の把手１２近傍に設けている。
【００４６】
上記構成による作用は以下の通りである。
【００４７】
延長管１３の先端に吸込具管１５Ａを接続して床用吸込具１５を使用している状態から吸込具１８を使用する時に把手を握っている指で操作レバー５１を操作することより、吸込具１８としてすぐに使用をできるものである。すなわち、吸込具１８のブラシホルダー２１の被係合部Ａ３４と尾錠２８の係合部Ａ３５による係合が外れることにより、延長管１３上方に位置していたブラシホルダー２１がフックバネ２３の附勢力によって接続口２２側に回動し、ストッパーＡ２５が穴２４の前壁２６に当接してブラシ２０が延長管１３に対して一定の角度αを有した状態で保持される。したがってこの状態ですぐ吸込具１８としてソファーや壁際などの掃除が可能になり、吸込具１８を収納状態から使用状態の容易に切り替えることができ大幅な使用性の向上が図れるものである。
【００４８】
（実施の形態４）
本発明の第４の実施の形態について、図９〜１０を用いて説明する。
【００４９】
なお、第１〜３の実施の形態と同一の部品については、同一符号を付与し、説明を省略する。
【００５０】
５２は、ブラシホルダー２１や外郭右３６、外郭左３７を配設したパイプ部材で、吸込具１８を構成している。前記パイプ部材５５の吸気上流側に被接続口２７を有して延長管１３先端や先端パイプ１４先端に構成した接続口２２と着脱可能に構成され、また、パイプ部材５５のブラシホルダー２１側に接続口２２を有して床用吸込具１５の吸込具管１５Ａや延長管１３の被接続口２７と着脱自在に構成されている。
【００５１】
上記構成による作用は以下の通りである。
【００５２】
接続口２２と被接続口２７を有したパイプ部材５２にて構成される吸込具１８が延長管１３、先端パイプ１４の先端に着脱自在に取付けることが可能であり、延長管１３先端や先端パイプ１４先端に吸込具１８をそれぞれ取付けて使用でき、例えば図１０に示すように吸込具１８を先端パイプ１４の先端に取付けて使用者により近い部分の掃除も容易に行えることにより、掃除形態の多様性が実現でき、より使用性の向上が図れるものである。
【００５３】
なお、本実施の形態では、ブラシ付きの吸込具で説明したが、尾錠２８によるブラシホルダー２１の収納時の保持が可能な構成であれば、例えば吸込口先端を絞った隙間ノズル形態でも同様の効果が得られることは言うまでも無い。
【００５４】
また、同様に先端パイプ１４の先端に本発明の吸込具を配置しても同様の効果が得られることは言うまでも無い。
【００５５】
また、本発明の構成は本実施の形態に限定されるものでは無い。
【産業上の利用可能性】
【００５６】
以上のように、本発明にかかる吸込具は、先端パイプなどへの吸込具の着脱が吸込具に触れること無く、かつ、延長管の着脱における動作、掃除動作の中で容易に行えるとともに吸込具の収納も行え、衛生的で使用性の向上が図れるとともに掃除性能の向上が図れるので非常に有効である。
【図面の簡単な説明】
【００５７】
【図１】本発明の実施の形態１を示す電気掃除機の全体斜視図
【図２】同吸込具の使用状態における要部断面図
【図３】同吸込具の吸込具管接続状態における要部断面図
【図４】同吸込具の収納状態における要部上面図
【図５】同吸込具の収納状態における要部断面図
【図６】同吸込具の使用状態における掃除機の全体斜視側面図
【図７】本発明の実施の形態２を示す電気掃除機の全体斜視図
【図８】本発明の実施の形態３を示す電気掃除機の全体斜視図
【図９】本発明の実施の形態４を示す吸込具の断面図
【図１０】同吸込具の使用状態における斜視図
【符号の説明】
【００５８】
１３  延長管
１４  先端パイプ
１５  床用吸込具
１５Ａ  吸込具管
１８  吸込具
１９  回転軸
２０  ブラシ
２１  ブラシホルダー
２１Ａ  連通部
２２  接続口
２３  フックバネ
２４  穴
２５  ストッパーＡ
２６  前壁
２７  被接続口
２８  尾錠
２９  凸部
３０  凹部
３１  釦
３２  軸
３３  圧縮バネ
３４  係合部Ａ
３５  被係合部Ａ
３６  外郭右
３７  外郭左
３８  ネジＡ
３９  ネジＢ
４０  バンパー
４１  カバー体
４２  被係合部Ｂ
４３  被係合部Ｃ
４４  係合部Ｂ
４５  溝部右
４６  溝部左
４７  リブ
４８  外郭上
４９  操作ペタル
５１  操作レバー
５２  パイプ部材
【図１】
2007021057.tif 000003
【図２】
2007021057.tif 000004
【図３】
2007021057.tif 000005
【図４】
2007021057.tif 000006
【図５】
2007021057.tif 000007
【図６】
2007021057.tif 000008
【図７】
2007021057.tif 000009
【図８】
2007021057.tif 000010
【図９】
2007021057.tif 000011
【図１０】
2007021057.tif 000012